(57)【要約】      （修正有）【課題】  作業終了後の清掃作業を不要とし、ネイルアートのように揮発性溶剤を使用するもので揮発性溶剤を吸引することがなく、健康並びに衛生上に優れた作業台を提供できるようにする。【解決手段】  筐体３の上面に加工作業面２を兼ねる吸引口１２を開口させ、吸引口１２の下方の筐体３内に電動モータ１９で回転駆動される吸引用ファン１７を設け、吸引用ファンの駆動により吸引口から吸引した塵埃等を捕捉手段４により捕捉するとともに、塵埃等が捕捉された排気を排気口から外部に放出するように構成した。【選択図】  図２
2006034661.tif 000002
【特許請求の範囲】
【請求項１】
筐体の上面に加工作業面を兼ねる吸引口を開口させ、吸引口の下方の筐体内に電動モータで回転駆動される吸引用ファンを設け、吸引用ファンの駆動により吸引口から吸引した塵埃等を捕捉手段により捕捉するとともに、塵埃等が捕捉された排気を排気口から外部に放出するように構成したことを特徴とする作業台。
【請求項２】
筐体がテーブルやデスクの一部である請求項１に記載の作業台。
【請求項３】
加工作業面が吸引口のほぼ全面に亘って配設された通気性有する板状部材で形成され、捕捉手段が板状部材の筐体内方側部分に配設されたフィルターで形成されたことを特徴とする請求項１に記載の作業台。
【請求項４】
筐体の上面の一部に小物入れ又は／及びリストレスト装着用凹部を形成したことを特徴とする請求項１に記載の作業台。
【発明の詳細な説明】
【技術分野】
【０００１】
本発明は吸塵装置に関し、特にホビーやネイルアート等の加工時に使用する作業台に関するものである。
【背景技術】
【０００２】
室内や卓上で切削や研磨する場合、机上にシートを敷いて作業台にしたり、折り畳み脚を有する作業台を設置し、その作業台でホビーやネイルアート等の加工を行うようにしている。この加工時には粉塵がその周囲に舞い上がり、舞い上がった粉塵は周囲に撒き散らかされたり、その一部を作業者が吸引したりする。
そして、作業が終了すると掃除機等で周囲に飛散した粉塵を吸引して集塵するようにしている。
このように吸引して集塵する装置としては例えば小型の吸引掃除機が使用される（特許文献１参照）。
【特許文献１】実開平１−１４５３５０号公報
【発明の開示】
【発明が解決しようとする課題】
【０００３】
上記公報に記載されたような小型の吸引掃除機を使用する場合、作業終了後に清掃作業がさらに必要となり、余分な手間と時間を要してしまうという問題があった。
しかも、粉塵等が飛散する範囲も広範囲で、狭隘な隅部分にも入りやすいことから、清掃もしにくく、清掃残りが生じやすい上、例えばネイルアートの店舗等で研削作業の近傍にパソコン等の精密機器がある場合、飛散する粉塵がその精密機器内に侵入するとこれが故障の原因にもなるという問題もある。
【０００４】
さらに、ネイルアートのように揮発性溶剤を使用するものでは、この揮発性溶剤を吸引してしまうことから、健康並びに衛生上にも問題があった。
本発明は上記問題点に鑑み提案されたもので、作業終了後の清掃作業を不要とし、ネイルアートのように揮発性溶剤を使用するもので揮発性溶剤を吸引することがなく、健康並びに衛生上に優れた作業台を提供できるようにすることを目的とするものである。
【課題を解決するための手段】
【０００５】
上記目的を達成するために本発明にかかる作業台は、筐体の上面に加工作業面を兼ねる吸引口を開口させ、吸引口の下方の筐体内に電動モータで回転駆動される吸引用ファンを設け、吸引用ファンの駆動により吸引口から吸引した塵埃等を捕捉手段により捕捉するとともに、塵埃等が捕捉された排気を排気口から外部に放出するように構成したことを特徴とするものである。
【０００６】
また、本発明にかかる作業台では、上記筐体が読書や学習用等のデスクやテーブルであることや、作業台が吸引口のほぼ全面に亘って配設された通気を有する板状部材で形成され、捕捉手段が板状部材の筐体内方側部分に配設されたフィルタで形成されたこと、さらには筐体の上面の一部に小物入れ又は／及びリストレスト装着用凹部を形成したことも特徴とするものである。
【発明の効果】
【０００７】
本発明の作業台によれば、吸引用ファンを電動モータで駆動させながら、作業台でホビーやネイルアート等の加工作業すると、その作業中に発生する粉塵は加工作業面を兼ねる吸引口から吸引され、捕捉手段で捕捉されるので、周囲に飛散するのが防止される。
これにより、従来のように周囲に飛散した粉塵を吸引掃除機で清掃する手間や時間をなくすことができる利点がある。
【０００８】
また、加工時に研削された粉塵等が飛散するのが防止されるために、例えばネイルアートの店舗等で研削作業の近傍にパソコン等の精密機器がある場合でも、粉塵がその精密機器内に侵入することがなく、従来のように粉塵等の侵入によりパソコン等の精密機器が飛散する粉塵で精密機器が故障するのを防止できる利点もある。
【０００９】
さらに、ネイルアートのように揮発性溶剤を使用する加工時でも、揮発蒸散する溶剤も吸引口から直接吸引されて排気されるので、作業者が溶剤を吸引するのが防止できる。
これにより、ネイルアートのように揮発性溶剤を使用するもので揮発性溶剤を吸引することがなく、健康並びに衛生上に優れた作業台を提供できる利点がある。
【発明を実施するための最良の形態】
【００１０】
以下、本発明の作業台にかかる実施の形態を図面に基づいて説明する。
図１は作業台の使用状態を示す斜視図、図２は作業台の縦断側面図、図３は作業台の分解斜視図であって、図中符号１は作業台を全体的に示す。
この作業台１は上面部分に加工作業面２を形成した箱状の筐体３と、筐体３内に組み込まれた捕捉手段４とを備えてなる。
【００１１】
上記筐体３は、下方が開口した箱状に形成され、上面部分を手前側が低くなる傾斜面５に形成され、この傾斜面５の上端水平部分６に平面視で矩形の凹部７が形成されている。
この凹部７は、例えば工具や、ルータ用ビットなどの小物を収納する凹部として、あるいは図２中想像線図で示すようにネイルアート時のリストレスト８の装着用凹部として使用される。
【００１２】
また、筐体３の傾斜面５部分は、加工作業面６を形成するための台板取り付け部分９が１段低く角枠状に形成され、その底部は中央部に吸い込み用の孔１０を有する緩やかな傾斜面１１の漏斗状にして吸引口１２が形成されている。
台板取り付け部分９に取り付けられる台板１３は、パンチングメタルで形成された基板（板状部材）１４と、筐体３側にシート状不織布で形成されたフィルタ１６を張設した補強板１５とからなる。
【００１３】
本例のフィルタ１６は不織布で形成してあるが、通気性を有し、粉塵を捕捉できるもの、例えばスポンジフィルタや、紙製のフィルタにすることもできるのは勿論のこと、ネイルアート時のように揮発性を有する有機溶剤を使用する場合では、活性炭等の有機溶剤を吸着する材料を含有するフィルタにすることが望ましい。
【００１４】
筐体３の内部に装着される上記捕捉手段４は、吸引口１２の吸い込み用の孔１０の下方に遠心式ファン１７を内装したファンシュラウド１８を筐体に取り付け、このファンシュラウド１８に商用電源で駆動される電動モータ１９を支持させるとともに、ファンシュラウド１８内に突出する回転軸２０に上記ファンシュラウド１８を取り付けてある。
また、ファンシュラウド１８の側面には円筒状の排気口２１が形成されており、この排気口２１が、筐体３の側面に形成された出口孔２２から突出する部分に図示を省略した排気用ダクトが連結される。
尚、図１中符合２５は電動モータ１９を起動させるスイッチである。
【００１５】
上記のように形成された作業台の作用を次に説明する。
図１に示すようにルータ２３でワーク（図示せず）を研削加工する場合、先ず、スイッチ２５をオンにして電動モータ１９を駆動させ、遠心ファン１７を回転させることにより、吸引口１２から外気を吸引する状態にする。
次に、手２４に持ったルータ２３でワークを研削加工する。この研削加工の時にその研削された粉塵が舞い上がろうとするが、これを基板１４のパンチングメタル部分から遠心ファン１７で吸引され、フィルタ１６部分で粉塵が捕捉された後、除塵された排気が排気口２１からダクトを介して外部に放出される。
【００１６】
かくして捕捉された粉塵がフィルタ１６に溜まると、吸気効率が低下することから所定時間稼動した作業台１のフィルタ１６は、台板１３の基板１４が取り外された後、補強板１５とともに取り換えられる。
また、ネイルアートのように揮発性溶剤を使用する加工時には上述したように、有機溶剤を吸着する活性炭を含んだフィルタ１６を使用すると、揮発蒸散する溶剤も吸引口１２から外気が吸引される時に、その有機溶剤分が活性炭に吸着された後、排気されるので、作業者が溶剤を吸引することがなくなる。
【００１７】
なお、上記実施の形態では捕捉手段４として遠心式ファン１７を使用するようにしてあるが、こうしたものに限られず、軸流式のファンにすることいができるのはいうまでもないことである。
また、上記実施の形態では、作業台を箱状の筐体３で形成するようにしてあるが、食事用やその他のテーブルあるいはデスクを筐体にすることもできる。
【図面の簡単な説明】
【００１８】
【図１】は本発明にかかる作業台の使用状態の斜視図である。
【図２】は本発明にかかる作業台の縦断側面図である。
【図３】は本発明にかかる作業台の分解斜視図である。
【符号の説明】
【００１９】
１・・・作業台
２・・・加工作業面
３・・・筐体
４・・・捕捉手段
８・・・リストレスト
１２・・・吸引口
１４・・・板状部材（基板）
１６・・・フィルタ
１７・・・遠心ファン
１９・・・電動モータ
【図１】
2006034661.tif 000003
【図２】
2006034661.tif 000004
【図３】
2006034661.tif 000005